(57)【要約】【課題】測定条件の設定が不適切な場合にはその旨をユーザに通知することができる測定装置及び測定方法を提供する。【解決手段】測定装置１０は、予め定められた項目ごとに設定されたＤＵＴ１の能力を示す能力情報を取得する能力情報取得部１３と、ＤＵＴ１の測定条件を設定する設定部１６と、測定条件に基づいてＤＵＴ１の測定を行う測定部１２と、測定条件のうちある項目に関する測定条件が該項目に予め定められた能力を超えて設定されたことを条件として該能力を超えている旨を示す能力超え情報を通知する能力判断部１７と、能力超え情報を表示する表示部１９と、を備える。【選択図】図１
2018148417.tif 000002
【特許請求の範囲】
【請求項１】
予め定められた項目ごとに設定された被測定装置（１）の能力を示す能力情報を取得する能力情報取得手段（１３）と、
前記被測定装置の測定条件を設定する測定条件設定手段（１６）と、
前記測定条件に基づいて前記被測定装置の測定を行う測定手段（１２）と、
前記測定条件のうち前記項目に関する測定条件が該項目に予め定められた能力を超えて設定されたことを条件として該能力を超えている旨を示す能力超え情報を通知する能力超え情報通知手段（１７）と、
を備えたことを特徴とする測定装置。
【請求項２】
前記測定条件及び前記被測定装置の測定結果の少なくともいずれか一方と前記項目ごとの前記能力情報とを並べて所定の表示装置（１９）に表示する制御を行う表示制御手段（１８）をさらに備え、
前記表示制御手段は、前記能力超え情報通知手段から前記能力超え情報が通知されたことを条件として、前記項目及び前記能力の情報の少なくともいずれか一方を強調表示するものであることを特徴とする請求項１に記載の測定装置。
【請求項３】
前記被測定装置との間で無線通信接続を確立する無線通信接続確立手段（１１）をさらに備え、
前記能力情報取得手段は、前記無線通信接続の確立処理において前記項目ごとの前記能力情報を取得するものであることを特徴とする請求項１又は請求項２に記載の測定装置。
【請求項４】
前記無線通信接続確立手段は、ＩＥＥＥ８０２．１１に準拠する通信規格に基づいて前記無線通信接続を確立するものであり、
前記項目ごとの前記能力情報は、前記通信規格で規定されているｃａｐａｂｉｌｉｔｙ情報であることを特徴とする請求項３に記載の測定装置。
【請求項５】
予め定められた項目ごとに設定された被測定装置（１）の能力を示す能力情報を取得する能力情報取得ステップ（Ｓ１５）と、
前記被測定装置の測定条件を設定する測定条件設定ステップ（Ｓ２２）と、
前記測定条件に基づいて前記被測定装置の測定を行う測定ステップ（Ｓ２６）と、
前記測定条件のうち前記項目に関する測定条件が該項目に予め定められた能力を超えて設定されたことを条件として該能力を超えている旨を示す能力超え情報を通知する能力情報通知ステップ（Ｓ２４）と、
を含むことを特徴とする測定方法。
【発明の詳細な説明】
【技術分野】
【０００１】
本発明は、例えば無線通信技術を用いて被測定装置を測定する測定装置及び測定方法に関する。
【背景技術】
【０００２】
従来、この種の測定装置としては、無線データパケット送受信機を被測定装置として試験する試験システムが知られている（例えば、特許文献１参照）。
【０００３】
特許文献１に記載の従来のものは、送信機、受信機、コントローラ／プロセッサを備え、ＤＵＴ（被測定装置）を試験するものである。
【０００４】
コントローラ／プロセッサは、送信機及び受信機を制御することにより、既定数の有効データパケットがＤＵＴから受信される後までか、既定の時間間隔が経過するまでか、又は既定数のデータ転送速度での有効データパケットがＤＵＴから受信されるまで、肯定応答信号を返す送信を抑制するようになっている。
【０００５】
この構成により、従来ものは、必要な工程を削除することなく、又は試験の完全性を損なうことなく、試験を実施するために必要とされる時間を減少させることができる。
【先行技術文献】
【特許文献】
【０００６】
【特許文献１】特表２０１４−５０４０５３号公報
【発明の概要】
【発明が解決しようとする課題】
【０００７】
ところで、従来のもののように、無線通信技術を用いた測定では、所定の無線通信規格に適合した測定条件を設定する必要があるが、測定条件の設定が不適切であると、被測定装置との通信時に通信エラーが発生したり、期待した測定結果が得られなかったりといった問題が発生する。しかも、この種の問題が発生すると、その原因がユーザには容易に把握できない場合が多い。
【０００８】
本発明は、前述のような事情に鑑みてなされたものであり、測定条件の設定が不適切な場合にはその旨をユーザに通知することができる測定装置及び測定方法を提供することを目的とする。
【課題を解決するための手段】
【０００９】
本発明の請求項１に係る測定装置は、予め定められた項目ごとに設定された被測定装置（１）の能力を示す能力情報を取得する能力情報取得手段（１３）と、前記被測定装置の測定条件を設定する測定条件設定手段（１６）と、前記測定条件に基づいて前記被測定装置の測定を行う測定手段（１２）と、前記測定条件のうち前記項目に関する測定条件が該項目に予め定められた能力を超えて設定されたことを条件として該能力を超えている旨を示す能力超え情報を通知する能力超え情報通知手段（１７）と、を備えた構成を有している。
【００１０】
この構成により、本発明の請求項１に係る測定装置は、能力超え情報通知手段が、測定条件のうち、ある項目に関する測定条件が該項目に予め定められた能力を超えて設定されたことを条件として該能力を超えている旨を示す能力超え情報を通知するので、測定条件の設定が不適切な場合にはその旨をユーザに通知することができる。
【００１１】
本発明の請求項２に係る測定装置は、前記測定条件及び前記被測定装置の測定結果の少なくともいずれか一方と前記項目ごとの前記能力情報とを並べて所定の表示装置（１９）に表示する制御を行う表示制御手段（１８）をさらに備え、前記表示制御手段は、前記能力超え情報通知手段から前記能力超え情報が通知されたことを条件として、前記項目及び前記能力の情報の少なくともいずれか一方を強調表示するものである構成を有している。
【００１２】
この構成により、本発明の請求項２に係る測定装置は、測定条件又は被測定装置の測定結果と、強調表示された不適切な測定条件とが表示装置に並べて表示されるので、測定条件の設定が不適切な場合にはその旨をユーザに確実に通知することができる。
【００１３】
本発明の請求項３に係る測定装置は、前記被測定装置との間で無線通信接続を確立する無線通信接続確立手段（１１）をさらに備え、前記能力情報取得手段は、前記無線通信接続の確立処理において前記項目ごとの前記能力情報を取得するものである構成を有している。
【００１４】
この構成により、本発明の請求項３に係る測定装置は、無線通信接続の確立処理において項目ごとの能力情報を取得することができる。
【００１５】
本発明の請求項４に係る測定装置は、前記無線通信接続確立手段は、ＩＥＥＥ８０２．１１に準拠する通信規格に基づいて前記無線通信接続を確立するものであり、前記項目ごとの前記能力情報は、前記通信規格で規定されているｃａｐａｂｉｌｉｔｙ情報である構成を有している。
【００１６】
この構成により、本発明の請求項４に係る測定装置は、ＩＥＥＥ８０２．１１に準拠する通信規格のｃａｐａｂｉｌｉｔｙ情報により、能力情報を取得することができる。
【００１７】
本発明の請求項５に係る測定方法は、予め定められた項目ごとに設定された被測定装置（１）の能力を示す能力情報を取得する能力情報取得ステップ（Ｓ１５）と、前記被測定装置の測定条件を設定する測定条件設定ステップ（Ｓ２２）と、前記測定条件に基づいて前記被測定装置の測定を行う測定ステップ（Ｓ２６）と、前記測定条件のうち前記項目に関する測定条件が該項目に予め定められた能力を超えて設定されたことを条件として該能力を超えている旨を示す能力超え情報を通知する能力超え情報通知ステップ（Ｓ２４）と、を含む構成を有している。
【００１８】
この構成により、本発明の請求項５に係る測定方法は、能力超え情報通知ステップにおいて、測定条件のうち、ある項目に関する測定条件が該項目に予め定められた能力を超えて設定されたことを条件として該能力を超えている旨を示す能力超え情報を通知するので、測定条件の設定が不適切な場合にはその旨をユーザに通知することができる。
【発明の効果】
【００１９】
本発明は、測定条件の設定が不適切な場合にはその旨をユーザに通知することができるという効果を有する測定装置及び測定方法を提供することができるものである。
【図面の簡単な説明】
【００２０】
【図１】本発明の一実施形態における測定装置のブロック構成図である。
【図２】本発明の一実施形態における測定装置がＤＵＴから受信するインフォメーションエレメントのフォーマットの一例を示す図である。
【図３】本発明の一実施形態における測定装置がＤＵＴから受信する能力情報の一例を示す図である。
【図４】本発明の一実施形態における測定装置が表示する測定条件設定画面及び測定結果表示画面の一例を示す図である。
【図５】本発明の一実施形態における測定装置が能力情報の一部を強調表示する一例を示す図である。
【図６】本発明の一実施形態における測定装置のフローチャートである。
【図７】本発明の一実施形態における測定装置の無線通信接続の確立処理を示す図である。
【図８】本発明の一実施形態において、測定条件が能力超えの場合における送受信部とＤＵＴとの間の通信状態を示す図である。
【発明を実施するための形態】
【００２１】
以下、本発明の実施形態について図面を用いて説明する。
【００２２】
まず、本発明に係る測定装置１０の第１実施形態における構成について説明する。
【００２３】
図１に示すように、本実施形態における測定装置１０は、ＤＵＴ１と無線通信を行って、ＤＵＴ１を測定するものである。本実施形態では、測定装置１０は無線ＬＡＮ親機（AP：Access Point）として動作し、ＤＵＴ１は無線ＬＡＮ子機（STA:STAtion）として動作するものとする。なお、ＤＵＴ１は、被測定装置の一例である。
【００２４】
測定装置１０は、送受信部１１、測定部１２、能力情報取得部１３、能力情報記憶部１４、操作部１５、設定部１６、能力判断部１７、表示制御部１８、表示部１９を備えている。この測定装置１０は、ＣＰＵ、ＲＯＭ、ＲＡＭ、各種インタフェースが接続される入出力回路等を備えたマイクロコンピュータを含む。測定装置１０は、ＲＯＭに予め格納された制御プログラムを実行させることにより、マイクロコンピュータを測定装置１０の各機能部として機能させるようになっている。
【００２５】
送受信部１１は、所定の無線通信規格に基づいて、ＤＵＴ１との間で無線通信接続を確立するようになっている。本実施形態では、送受信部１１は、一例として、ＩＥＥＥ８０２．１１に準拠する通信規格に基づいて、ＤＵＴ１との間で無線通信接続を確立するものとする。この送受信部１１は、無線通信接続確立手段の一例である。
【００２６】
また、送受信部１１は、無線通信接続の確立後に、ＤＵＴ１に対して、測定に関する各種データを送受信するようになっている。例えば、送受信部１１は、ＤＵＴ１の受信性能を評価するための受信測定を実施するため、所定の信号パターンのデータを発生する信号発生器を備えている。送受信部１１は、設定部１６からの指示信号に従って、所定の信号パターンのデータをパケット化してＤＵＴ１に送信し、ＤＵＴ１からの応答信号を受信するようになっている。
【００２７】
測定部１２は、送受信部１１によって受信されたＤＵＴ１のデータを入力し、設定部１６からの測定条件に基づいてＤＵＴ１の測定を行うようになっている。測定部１２による測定結果のデータは、表示制御部１８に出力される。また、測定部１２は、例えば、送受信部１１とＤＵＴ１との間での無線通信においてエラーが発生したことにより、測定が完了しなかった場合には、その旨を測定結果として表示制御部１８に通知するようになっている。なお、測定部１２は、測定手段の一例である。
【００２８】
能力情報取得部１３は、予め定められた項目ごとに設定されたＤＵＴ１の能力を示す能力情報を取得するようになっている。この能力情報は、例えば、ＩＥＥＥ８０２．１１に準拠する通信規格で規定されているｃａｐａｂｉｌｉｔｙ情報（capabilities information）である。能力情報取得部１３は、送受信部１１がＤＵＴ１との間で無線通信接続を確立する際に、この能力情報を取得するようになっている。なお、能力情報取得部１３は、能力情報取得手段の一例である。
【００２９】
能力情報記憶部１４は、能力情報取得部１３によって取得された能力情報を記憶するようになっている。
【００３０】
操作部１５は、ＤＵＴ１を測定する測定項目や測定条件、判定条件等（これらを総称する場合「測定条件等」という）を設定するためユーザが操作するものであり、例えば、キーボード、ダイヤル又はマウスのような入力デバイス、これらを制御する制御回路等で構成される。
【００３１】
設定部１６は、ユーザが操作部１５を操作することによって入力した測定条件等の情報を送受信部１１、能力判断部１７、測定部１２、表示制御部１８に出力するようになっている。この設定部１６は、測定条件設定手段の一例である。
【００３２】
能力判断部１７は、能力情報記憶部１４に記憶された能力情報と、設定部１６から入力した測定条件の情報とに基づいて、測定条件のうち能力情報の項目に関する測定条件がその項目に予め定められた能力を超えて設定されたか否かの判断を実行するようになっている。この能力判断部１７は、能力超え情報通知手段の一例である。
【００３３】
具体的には、能力判断部１７は、例えば、ある項目のデータフォーマットに対応していないことが予め定められていた場合に、そのデータフォーマットを用いた通信条件が設定されると、設定された測定条件が予め定められた能力を超えて設定されたと判断、すなわち、設定された測定条件が能力超えと判断する。この場合、能力判断部１７は、設定された測定条件が能力を超えている旨（以下「能力超え情報」という）を表示制御部１８に出力し、表示制御部１８が表示部１９に能力超え情報を表示させることにより、能力超え情報をユーザに通知することができる。
【００３４】
表示制御部１８は、測定部１２から測定結果、能力判断部１７から能力判断結果、設定部１６から測定条件等の情報を入力し、それらの情報を表示部１９に表示するための表示制御を実行するようになっている。この表示制御部１８は、表示制御手段の一例である。
【００３５】
表示部１９は、表示制御部１８の表示制御に従って、測定条件等、測定結果、能力判断結果等を表示するようになっている。この表示部１９は、表示装置の一例である。
【００３６】
次に、能力情報取得部１３が取得する能力情報について、図２及び図３を用いて説明する。図２は、送受信部１１がＤＵＴ１から受信するインフォメーションエレメント（Information Element）のフォーマットの一例を示している。図３は、能力情報の設定例を示す図である。
【００３７】
図２に示したインフォメーションエレメントのフォーマットは、当該インフォメーションエレメントが何を意味するかを表す識別子情報（Element ID）フィールド２１と、インフォメーションエレメント長情報（Length）フィールド２２と、能力情報（HT Capability Information）フィールド２３と、を含んでいる。
【００３８】
このうち、能力情報フィールド２３には、図示のように、予め定められた１４の項目ごとに設定されたＤＵＴ１の能力を示す能力情報が記述されている。なお、能力情報フィールド２３の各項目については、ＩＥＥＥ８０２．１１の仕様書に記述されているので、それらの説明は省略する。本実施形態におけるＤＵＴ１の能力情報フィールド２３は、図３に示すように設定されているものとする。
【００３９】
図３において、例えば、「ＨＴ−Ｇｒｅｅｎｆｉｅｌｄ」項目については、「０：ｎｏｔ  ｓｕｐｐｏｒｔｅｄ」（利用可）、又は、図示していない「１：ｓｕｐｐｏｒｔｅｄ」（利用不可）が選択可能である。本実施形態におけるＤＵＴ１には、「０：ｎｏｔ  ｓｕｐｐｏｒｔｅｄ」が設定されており、ＤＵＴ１に対してはハイスループットグリーンフィールドモード（以下「ＨＴＧＦモード」と略記する）が利用できないことが示されている。
【００４０】
また、例えば、「Ｍａｘｉｍｕｍ  Ａ−ＭＳＤＵ  Ｌｅｎｇｔｈ」項目については、図示していない「０：３８３９  ｏｃｔｅｔｓ」、又は、「１：７９３５  ｏｃｔｅｔｓ」が選択可能である。本実施形態におけるＤＵＴ１は、「１：７９３５  ｏｃｔｅｔｓ」が設定されており、ＤＵＴ１との通信で許容できるＡ−ＭＳＤＵ（Aggregate MAC Service Data Unit）の最大長が７９３５オクテットであることが示されている。
【００４１】
次に、表示制御部１８の表示制御に従って表示部１９が表示する情報の一例を図４に基づき説明する。
【００４２】
図４（ａ）は、測定開始前に、ユーザが操作部１５を操作してＤＵＴ１の測定条件等を設定する際に、表示部１９に表示される、測定条件等を設定するための測定条件設定画面３０を示している。測定条件設定画面３０は、測定条件等の設定情報を表示する設定情報表示エリア３１と、能力情報を表示する能力情報表示エリア３２と、を有する。
【００４３】
図４（ｂ）は、測定が正常に終了した場合や、測定開始後に何らかのエラーが発生して測定が中断した際に、表示部１９に表示される測定結果表示画面４０を示している。測定結果表示画面４０は、測定結果を表示する測定結果表示エリア４１と、能力情報を表示する能力情報表示エリア３２と、を有している。
【００４４】
図４（ａ）及び（ｂ）において、能力情報表示エリア３２に表示される内容は、能力判断部１７による判断結果に基づく。能力判断部１７が、ユーザにより設定された測定条件が能力超えと判断しなかった場合には、図３に示した能力情報が能力情報表示エリア３２に表示される。一方、能力判断部１７が、ユーザにより設定された測定条件が能力超えと判断した場合には、例えば図５に示す能力情報が能力情報表示エリア３２に表示される。この図５について以下説明する。
【００４５】
図５は、図３に示した能力情報のうち、「ＨＴ−Ｇｒｅｅｎｆｉｅｌｄ」項目及び「０：ｎｏｔ  ｓｕｐｐｏｒｔｅｄ」の表示が強調表示された例を示している。この強調表示は、能力判断部１７の判断結果に基づいて実行される。能力判断部１７は、ＨＴＧＦモードがサポートされていないＤＵＴ１に対して、例えば、ユーザがそのモードでデータをＤＵＴ１に送信する旨を測定条件として設定した場合、その測定条件は能力超えと判断し、その旨を表示制御部１８に通知する。表示制御部１８は、図５に示したように強調表示する。
【００４６】
次に、図５を参照し、能力判断部１７が行う能力超えか否かの判断について具体例を挙げて説明する。
【００４７】
図５に示した項目のうち、例えば、「ＬＤＰＣ  Ｃｏｄｉｎｇ  Ｃａｐａｂｉｌｉｔｙ」項目や「ＨＴ−Ｇｒｅｅｎｆｉｅｌｄ」項目のように、「０：ｎｏｔ  ｓｕｐｐｏｒｔｅｄ」又は「１：ｓｕｐｐｏｒｔｅｄ」（図示省略）のいずれか一方を設定する項目がある。この種の項目に関する測定条件が、設定された内容と異なる場合には、能力判断部１７は能力超えと判断する。具体的には、「ＨＴ−Ｇｒｅｅｎｆｉｅｌｄ」項目が「０：ｎｏｔ  ｓｕｐｐｏｒｔｅｄ」と設定されている場合に、ＨＴＧＦモードを利用してデータをＤＵＴ１に送信する設定条件をユーザが設定すると、能力判断部１７は能力超えと判断する。
【００４８】
一方、図５に示した項目のうち、例えば、「Ｍａｘｉｍｕｍ  Ａ−ＭＳＤＵ  Ｌｅｎｇｔｈ」項目のように、「０：３８３９  ｏｃｔｅｔｓ」（図示省略）又は「１：７９３５  ｏｃｔｅｔｓ」が選択可能な項目がある。この種の項目に関する測定条件が、設定された内容と異なる場合には、能力判断部１７は能力超えと判断する。具体的には、「Ｍａｘｉｍｕｍ  Ａ−ＭＳＤＵ  Ｌｅｎｇｔｈ」項目が「０：３８３９  ｏｃｔｅｔｓ」と設定されている場合に、Ａ−ＭＳＤＵの最大長が３８３９オクテットを超える測定条件をユーザが設定すると、能力判断部１７は能力超えと判断する。
【００４９】
次に、本実施形態における測定装置１０の動作について図６〜図８を用いて説明する。なお、前述のように、測定装置１０は無線ＬＡＮ親機（アクセスポイント）として動作し、ＤＵＴ１は無線ＬＡＮ子機（ステーション）として動作するものとする。
【００５０】
以下の動作説明では、測定装置１０が、所定のデータをＤＵＴ１に送信し、そのデータによるＤＵＴ１の受信性能を評価するための受信測定を実施するものとする。
【００５１】
また、図３に示したように、「ＨＴ−Ｇｒｅｅｎｆｉｅｌｄ」項目について「０：ｎｏｔ  ｓｕｐｐｏｒｔｅｄ」（利用不可）がＤＵＴ１に設定されているにもかかわらず、ユーザがＨＴＧＦモードでデータをＤＵＴ１の送信する測定条件を設定した場合を例に挙げて説明する。
【００５２】
測定装置１０とＤＵＴ１とを無線通信回線で接続するため、測定を開始する前に、送受信部１１及びＤＵＴ１は、ＩＥＥＥ８０２．１１に準拠する通信規格に基づいて無線通信接続の確立処理を実行する（ステップＳ１０）。この処理について図７を用いて説明する。
【００５３】
図７に示すように、ＤＵＴ１は、ＩＥＥＥ８０２．１１に準拠する通信規格に規定された認証方式に従って、"Authentication"メッセージを測定装置１０の送受信部１１に送信する（ステップＳ１１）。
【００５４】
送受信部１１は、ＤＵＴ１からの"Authentication"メッセージに応答して"Ack"（Acknowledge）メッセージをＤＵＴ１に送信する（ステップＳ１２）。
【００５５】
続いて、送受信部１１は、"Authentication"メッセージをＤＵＴ１に送信する（ステップＳ１３）。
【００５６】
ＤＵＴ１は、送受信部１１からの"Authentication"メッセージに応答して"Ack"メッセージを送受信部１１に送信する（ステップＳ１４）。
【００５７】
さらに、ＤＵＴ１は、認証が成立した場合には、送受信部１１に接続要求（アソシエーション要求）をするため、"Association Request"メッセージを送受信部１１に送信する（ステップＳ１５）。この"Association Request"メッセージには、例えば図２に示した項目ごとの能力情報（ｃａｐａｂｉｌｉｔｙ情報）が含まれている。
【００５８】
送受信部１１は、ＤＵＴ１からの"Association Request"メッセージに応答して"Ack"メッセージをＤＵＴ１に送信する（ステップＳ１６）。
【００５９】
測定装置１０の能力情報取得部１３は、"Association Request"メッセージから能力情報を抽出して取得し、能力情報記憶部１４に記憶する（ステップＳ１７）。すなわち、能力情報取得部１３は、無線通信接続の確立処理において、例えば図３に示したような項目ごとの能力情報を取得する。
【００６０】
続いて、送受信部１１は、接続許可の応答（アソシエーション応答）をするため、"Association Response"メッセージをＤＵＴ１に送信する（ステップＳ１８）。
【００６１】
ＤＵＴ１は、送受信部１１からの"Association Response"メッセージに応答して"Ack"メッセージを送受信部１１に送信する（ステップＳ１９）。
【００６２】
以上の処理により、測定装置１０とＤＵＴ１との間で無線通信接続が確立され、測定装置１０及びＤＵＴ１は、無線通信による所定のデータの送受信が可能となる。
【００６３】
図６に戻り、表示部１９は、表示制御部１８の制御に従って、図４（ａ）に示した測定条件設定画面３０を表示する（ステップＳ２１）。
【００６４】
ユーザが操作部１５を操作することにより受信測定の測定条件等が設定部１６に設定され（ステップＳ２２）、設定部１６は、測定条件等の情報を送受信部１１、能力判断部１７、測定部１２、表示制御部１８に出力する。
【００６５】
能力判断部１７は、能力情報記憶部１４に記憶された項目ごとの能力情報と、ある項目に関して設定された測定条件とに基づいて能力超えか否かの判断を実行する（ステップＳ２３）。
【００６６】
ステップＳ２３において、能力判断部１７は、能力超えと判断した場合には、その旨を表示制御部１８に通知し、表示制御部１８は、表示部１９に表示された該当する項目及び能力の情報を強調表示する（ステップＳ２４）。この結果、本実施形態における測定装置１０は、測定条件の設定が不適切であることをユーザに確実に把握させることができる。
【００６７】
具体的には、図３に示したように、「ＨＴ−Ｇｒｅｅｎｆｉｅｌｄ」項目について「０：ｎｏｔ  ｓｕｐｐｏｒｔｅｄ」（利用不可）がＤＵＴ１に設定されているにもかかわらず、ユーザがＨＴＧＦモードでデータをＤＵＴ１の送信する測定条件を設定した場合には、能力判断部１７は、図５に示すように、「ＨＴ−Ｇｒｅｅｎｆｉｅｌｄ」項目と、その能力の情報を示す「０：ｎｏｔ  ｓｕｐｐｏｒｔｅｄ」の欄を、表示制御部１８を介し強調表示する。なお、この場合、能力判断部１７が、「ＨＴ−Ｇｒｅｅｎｆｉｅｌｄ」項目の欄及び「０：ｎｏｔ  ｓｕｐｐｏｒｔｅｄ」の欄のいずれか一方を強調表示する構成としてもよい。
【００６８】
ステップＳ２３で能力超えと判断されなかった場合、又はステップＳ２４の処理後において、設定部１６は、測定開始か否かを判断する（ステップＳ２５）。例えば、設定部１６は、操作部１５の所定のキーが押下されると測定開始と判断する。
【００６９】
ステップＳ２５において、測定開始と判断されなかった場合には、ステップＳ２２に戻り、引き続き測定条件の設定が行われる。
【００７０】
一方、ステップＳ２５において、測定開始と判断された場合には、測定部１２は受信測定を実施する（ステップＳ２６）。
【００７１】
本実施形態では、測定装置１０とＤＵＴ１との間の無線通信は、図８に示すようになる。すなわち、本実施形態では、ＤＵＴ１はＨＴＧＦモードが利用できないと設定されているにもかかわらず、ユーザがＨＴＧＦモードでデータをＤＵＴ１の送信する測定条件を設定しているので、図８に示すように、測定装置１０からＨＴＧＦモードのデータを何度送信してもＤＵＴ１からはＡｃｋメッセージが返信されない。
【００７２】
その結果、測定部１２は、受信測定が実施できず、表示部１９は、表示制御部１８の制御に従って、図４（ｂ）に示した測定結果表示画面４０を表示する（ステップＳ２７）。ここで、図４（ｂ）に示した測定結果表示画面４０の能力情報表示エリア３２には、前述のステップＳ２４で強調表示された能力情報（図５参照）が継続して表示されている。
【００７３】
以上のように、本実施形態における測定装置１０は、能力判断部１７が、測定条件のうち項目に関する測定条件が該項目に予め定められた能力を超えて設定されたことを条件として該能力を超えている旨を示す能力超え情報を通知する構成としたので、測定条件の設定が不適切な場合にはその旨をユーザに通知することができる。
【００７４】
したがって、本実施形態における測定装置１０は、測定条件の設定が不適切であったことにより、ＤＵＴ１との通信時に通信エラーが発生したり、期待した測定結果が得られなかったりといった問題が発生した場合には、その問題の原因究明に資する情報をユーザに提供することができる。
【００７５】
なお、前述の実施形態では、ＤＵＴ１と無線通信を行ってＤＵＴ１を測定する例を挙げて説明したが、本発明はこれに限定されるものではなく、例えば、ＤＵＴを有線接続して測定する構成としても同様な効果が得られる。
【００７６】
また、前述の実施形態では、能力情報取得部１３がＤＵＴ１との間で無線通信接続を確立する際に能力情報を取得する例を挙げて説明したが、本発明はこれに限定されるものではなく、他の手法を用いて測定前に能力情報を取得する構成であれば同様な効果が得られる。
【産業上の利用可能性】
【００７７】
以上のように、本発明に係る測定装置及び測定方法は、測定条件の設定が不適切な場合にはその旨をユーザに通知することができるという効果を有し、例えば無線通信技術を用いて被測定装置を測定する測定装置及び測定方法として有用である。
【符号の説明】
【００７８】
１  ＤＵＴ（被測定装置）
１０  測定装置
１１  送受信部（無線通信接続確立手段）
１２  測定部（測定手段）
１３  能力情報取得部（能力情報取得手段）
１４  能力情報記憶部
１５  操作部
１６  設定部（測定条件設定手段）
１７  能力判断部（能力超え情報通知手段）
１８  表示制御部（表示制御手段）
１９  表示部（表示装置）
３０  測定条件設定画面
３１  設定情報表示エリア
３２  能力情報表示エリア
４０  測定結果表示画面
４１  測定結果表示エリア
【図１】
2018148417.tif 000003
【図２】
2018148417.tif 000004
【図３】
2018148417.tif 000005
【図４】
2018148417.tif 000006
【図５】
2018148417.tif 000007
【図６】
2018148417.tif 000008
【図７】
2018148417.tif 000009
【図８】
2018148417.tif 000010